(57)【特許請求の範囲】
【請求項１】
引き出し側先端部に遮光用のシート部材を取り付けたロール状の印画紙を装填するために開閉可能な筐体内に、前記ロール状の印画紙を収納するロール収納部と、前記ロール収納部に装填された前記ロール状の印画紙を印画紙引き出し口に案内する印画紙案内部とが設けられ、
前記印画紙案内部の印画紙入り口側に、
引き出される前記印画紙の進路を変更するように前記印画紙の一方の面を支承案内する第１ガイド部材と、
前記印画紙の他方の面を案内する第２ガイド部材と、
前記第１ガイド部材にて支承案内される位置において前記印画紙の搬送横幅方向の端縁との接当により前記印画紙の搬送横幅方向での位置を規制する端縁案内面を前記印画紙の搬送横幅方向両側に有する搬送位置規制部材とが備えられた印画紙マガジンであって、
前記第２ガイド部材における前記印画紙の搬送方向上流端部の存在位置が、前記印画紙の搬送横幅方向視で前記端縁案内面と重複する位置に配置され、且つ、
前記第２ガイド部材における前記印画紙の搬送方向上流端部での印画紙案内面が、前記第１ガイド部材にて変更された後の前記印画紙の進路よりも変更される前の前記印画紙の進路側に傾斜した形状に形成されている印画紙マガジン。
【請求項２】
前記筐体は、前記ロール状の印画紙の装填時に前記ロール状の印画紙をセットする基体と、その基体に対して開閉自在のカバー体とを備えて構成され、
前記第１ガイド部材及び前記搬送位置規制部材が、前記基体側に設けられ、
前記第２ガイド部材が、前記カバー体に設けられている請求項１記載の印画紙マガジン。
【請求項３】
前記第１ガイド部材は、ローラにて構成され、そのローラに前記搬送位置規制部材として鍔部材が備えられている請求項１又は２記載の印画紙マガジン。
【発明の詳細な説明】
【０００１】
【発明の属する技術分野】
本発明は、引き出し側先端部に遮光用のシート部材を取り付けたロール状の印画紙を装填するために開閉可能な筐体内に、前記ロール状の印画紙を収納するロール収納部と、前記ロール収納部に装填された前記ロール状の印画紙を印画紙引き出し口に案内する印画紙案内部とが設けられ、前記印画紙案内部の印画紙入り口側に、引き出される前記印画紙の進路を変更するように前記印画紙の一方の面を支承案内する第１ガイド部材と、前記印画紙の他方の面を案内する第２ガイド部材と、前記第１ガイド部材にて支承案内される位置において前記印画紙の搬送横幅方向の端縁との接当により前記印画紙の搬送横幅方向での位置を規制する端縁案内面を前記印画紙の搬送横幅方向両側に有する搬送位置規制部材とが備えられた印画紙マガジンに関する。
【０００２】
【従来の技術】
かかる印画紙マガジンは、印画紙に画像を露光形成する写真焼付装置に装着して、写真焼付装置に印画紙を供給するためのものであり、写真焼付装置における写真画像の露光処理の進行に伴って、筐体内部にロール状に装填している印画紙を順次送り出して行く。
印画紙マガジンに装填されていた印画紙を供給し終えると、新たにロール状の印画紙を印画紙マガジンに装填することで、印画紙マガジン自体は継続して使用する。
印画紙マガジンに新たに装填するロール状の印画紙には、明室環境下で装填を可能とするために、ロール状の印画紙２の引き出し側（外周側）の先端部に、図４（ａ）の平面図及び図４（ｂ）の側面図に示すように、遮光用のシート部材２ａが複数の接着箇所ＭＴでの熱溶着等により取り付けられ、その遮光用のシート部材２ａがロール状の印画紙２の外周を覆うことで、印画紙２が感光してしまうのを防止している。
【０００３】
従って、印画紙マガジンにロール状の印画紙を装填するときの作業としては、印画紙マガジンの筐体を開いた状態でロール状の印画紙をセットし、前記遮光用のシート部材を印画紙マガジンの筐体に形成された印画紙引き出し口まで引き出して、印画紙マガジンの筐体を閉じ、筐体内を暗室状態に保持する。
この後、印画紙の先端が前記印画紙引き出し口から出てくるまで前記遮光用のシート部材を全て引き出し、不要となった前記遮光用のシート部材を切除する。
このように前記遮光用のシート部材と印画紙とを連続的に引き出す関係上、印画紙マガジンの筐体内において印画紙を印画紙引き出し口に案内する印画紙案内部は、前記遮光用のシート部材及び印画紙の双方を円滑に案内する必要がある。
【０００４】
【発明が解決しようとする課題】
しかしながら、現実には、印画紙を円滑に引き出せない場合があり、改善が望まれていた。
本発明は、かかる実情に鑑みてなされたものであって、その目的は、印画紙マガジンから円滑に印画紙を引き出せるようにする点にある。
【０００５】
【課題を解決するための手段】
上記請求項１記載の構成を備えることにより、引き出し側先端部に遮光用のシート部材を取り付けたロール状の印画紙を装填するために開閉可能な筐体内に、前記ロール状の印画紙を収納するロール収納部と、前記ロール収納部に装填された前記ロール状の印画紙を印画紙引き出し口に案内する印画紙案内部とが設けられ、前記印画紙案内部の印画紙入り口側に、引き出される前記印画紙の進路を変更するように前記印画紙の一方の面を支承案内する第１ガイド部材と、前記印画紙の他方の面を案内する第２ガイド部材と、前記第１ガイド部材にて支承案内される位置において前記印画紙の搬送横幅方向の端縁との接当により前記印画紙の搬送横幅方向での位置を規制する端縁案内面を前記印画紙の搬送横幅方向両側に有する搬送位置規制部材とが備えられた印画紙マガジンにおいて、前記第２ガイド部材における前記印画紙の搬送方向上流端部の存在位置が、前記印画紙の搬送横幅方向視で前記端縁案内面と重複する位置に配置され、且つ、前記第２ガイド部材における前記印画紙の搬送方向上流端部での印画紙案内面が、前記第１ガイド部材にて変更された後の前記印画紙の進路よりも変更される前の前記印画紙の進路側に傾斜した形状に形成されている。
【０００６】
すなわち、本発明の発明者は、印画紙マガジンから印画紙を円滑に引き出せないという現象が、ロール状の印画紙のロール径が小さい場合に発生頻度が高いことから、印画紙マガジンの筐体内において印画紙を印画紙引き出し口に案内する印画紙案内部の入り口部分に原因があると推定して詳細に調べた。
つまり、前記印画紙案内部の入り口部分に配置される前記第１ガイド部材によって印画紙の進路を変更する角度が、前記ロール径の大小によって異なるからである。
【０００７】
従来の前記第１ガイド部材，前記第２ガイド部材及び前記搬送位置規制部材の構成を具体例によって説明すると、印画紙マガジンの印画紙引き出し口に連なる印画紙案内部の入り口側付近を、印画紙の搬送横幅方向視の断面で示す図８（ａ）のように、前記第１ガイド部材は同図中においてローラ１０１にて構成され、前記搬送位置規制部材はローラ１０１に外嵌する一対の鍔１０１ａにて構成されて夫々の印画紙側の面全体が印画紙の端縁を案内する端縁案内面となっている。又、前記第２ガイド部材を構成する案内体１０２は、印画紙を案内する案内面１０２ａが、印画紙の搬送横幅方向視で鍔１０１ａと重複する位置まで入り込んでいる。
通常であれば、図８（ａ）に示す構成であっても、遮光用のシート部材２ａ，そのシート部材２ａと印画紙２との継ぎ目及び印画紙２が順次に前記第１ガイド部材（ローラ１０１）と前記第２ガイド部材（案内体１０２）との間を円滑に通過して行く。
【０００８】
ところが、本発明の発明者による原因調査の結果、遮光用のシート部材との継ぎ目部分である印画紙の先端が前記第２ガイド部材に引っかかる状態となって、印画紙の円滑な搬送が阻害される場合があることを突き止めた。
図４ａに「Ｗ」にて示す、印画紙２と遮光用のシート部材２ａとの接着箇所ＭＴと印画紙２の先端との間隔にばらつきがあり、間隔Ｗが小さいものであれば、遮光用のシート部材２ａと印画紙２との継ぎ目も問題なく第２ガイド部材（案内体１０２）を通過して行くが、間隔Ｗが長いものでは、図８（ａ）に示すように、印画紙２の先端が第２ガイド部材（案内体１０２）における印画紙搬送方向上流端部での印画紙案内面（案内面１０２ａ）に対して深い角度で接当するために、印画紙が突っ張る状態となって搬送抵抗が大となるのである。
【０００９】
このような現象を回避するためには、図８（ｂ）に示すように、第２ガイド部材（案内体１０２）の印画紙搬送方向上流端部の位置を印画紙引き出し口側に位置ずれさせて配置し、前記間隔Ｗの大きいものであっても、印画紙の先端が第１ガイド部材（ローラ１０１）にて確実に進路を変更された後に第２ガイド部材（案内体１０２）にて案内されるように構成することも考えられる。
ところが、このように第２ガイド部材を配置したのでは、印画紙の引き出し搬送中に印画紙ロールの回転の慣性によって印画紙がオーバーランして、印画紙にたるみが発生したり、引き出している印画紙がロールの終端に達してロールの慣性質量等による印画紙に対するバックテンションが作用しなって、印画紙にカールが発生したときに、印画紙が前記搬送位置規制部材（鍔１０１ａ）から離脱してしまい、適正に搬送できなくなる虞がある。
【００１０】
そこで、第２ガイド部材における印画紙の搬送方向上流端部の存在位置が、印画紙の搬送横幅方向視で前記端縁案内面と重複する位置に配置されるようにして、印画紙が前記搬送位置規制部材に位置規制されて搬送される状態を確保し、且つ、第２ガイド部材における印画紙搬送方向上流端部での印画紙案内面が、第１ガイド部材にて変更された後の印画紙の進路よりも変更される前の印画紙の進路側に傾斜した形状に形成して、前記間隔Ｗが大きい印画紙ロールであっても、印画紙の先端が第２ガイド部材の印画紙案内面に接当するときの角度を浅くすることで、印画紙の先端が第２ガイド部材に円滑に案内されるようにしたのである。
もって、印画紙マガジンから円滑に印画紙を引き出せるものとなった。
【００１１】
又、上記請求項２記載の構成を備えることにより、前記筐体は、前記ロール状の印画紙の装填時に前記ロール状の印画紙をセットする基体と、その基体に対して開閉自在のカバー体とを備えて構成され、前記第１ガイド部材及び前記搬送位置規制部材が、前記基体側に設けられ、前記第２ガイド部材が、前記カバー体に設けられている。
従って、印画紙マガジンの筐体を開いた状態で、基体側にロール状の印画紙をセットし、前記搬送位置規制部材にあてがうように遮光用のシート部材を印画紙引き出し口の外に繰り出して、印画紙マガジンの筐体を閉じる、という簡単な作業で印画紙の装填作業を行える利点を維持しながら、上述のように円滑に印画紙を引き出すことができる。
【００１２】
又、上記請求項３記載の構成を備えることにより、前記第１ガイド部材は、ローラにて構成され、そのローラに前記搬送位置規制部材として鍔部材が備えられている。
すなわち、第１ガイド部材及び搬送位置規制部材を鍔付きローラとして構成することで、構成の簡素化を図ることができる。
【００１３】
【発明の実施の形態】
以下、本発明の印画紙マガジンの実施の形態を図面に基づいて説明する。
印画紙マガジンは、いわゆるデジタルミニラボ機として知られている写真プリント装置に装填されて、印画紙を供給するものでる。
本実施の形態で例示する写真プリント装置ＤＰは、図６のブロック構成図に示すように、現像処理済みの写真フィルム１（以下、単に「フィルム１」と略称する）の駒画像を読み取るフィルムスキャナＦＳと、フィルムスキャナＦＳにて読み取った駒画像を印画紙２に露光し且つ現像処理する露光・現像装置ＥＰとから構成されている。
〔フィルムスキャナＦＳの概略構成〕
フィルムスキャナＦＳには、図６に概略的に示すように、ハロゲンランプ１０と、ハロゲンランプ１０から出射した光の色バランスを調整するための調光フィルタ１１と、調光フィルタ１１を通過した光を均等に混色するミラートンネル１２と、搬送機構１３ａや図示を省略するフィルムマスク等が備えられてフィルム１を所定の読取り位置に位置させるフィルムマスクユニット１３と、フィルム１の駒画像を光電変換するためのＣＣＤラインセンサユニット１４と、フィルム１の画像をＣＣＤラインセンサユニット１４上に結像させるためのレンズ１５と、光路を９０度屈曲させるためのミラー１６と、ＣＣＤラインセンサユニット１４の出力信号を増幅及びＡ／Ｄ変換等する処理回路１７と、その処理回路１７の出力信号に基づいて露光・現像装置ＥＰのための露光用画像データを生成すると共にフィルムスキャナＦＳ内の各部の作動を制御するスキャナ制御部１８と、仕上がりプリント画像をシミュレートしたシミュレート画像や各種の制御用の情報を表示するモニタ１９と、スキャナ制御部１８に対して露光条件の手動設定等を入力操作するための操作卓２０とが設けられている。
【００１４】
フィルムスキャナＦＳでは、フィルムマスクユニット１３にフィルム１がセットされると、搬送機構１３ａにてフィルム１の搬送が開始され、駒画像が順次読み取られて、赤色、緑色、青色毎のデジタル画像データとしてスキャナ制御部１８に出力される。
スキャナ制御部１８では、処理回路１７から入力された画像データによってプリントを作成した場合に得られるであろうシミュレート画像を演算して求め、それをモニタ１９に表示する。
操作者は、このモニタ１９上のシミュレート画像を観察して、適正な画像が得られていなければ、操作卓２０から露光条件の修正入力操作を行う。
スキャナ制御部１８は、処理回路１７から入力された画像データとその修正入力とに従って予め設定された演算条件で赤色、緑色、青色毎の露光用画像データを生成する。
尚、詳細な説明は省略するが、フィルムスキャナＦＳには、光磁気ディスクやＣＤ−ＲＯＭ等の各種の記憶媒体を読み取る読取り装置が備えられており、フィルム１の駒画像以外にも、それらの媒体に記録された画像データに基づいてプリントを作製することができる。
【００１５】
〔露光・現像装置ＥＰの全体構成〕
露光・現像装置ＥＰは、図７にその外観を示すように、フィルムスキャナＦＳとは別体で構成されており、内部には、図６に示すように、印画紙２に対して露光用レーザビームを走査することにより印画紙２上に露光画像を形成する画像露光ユニット２５と、画像露光ユニット２５にて露光された印画紙２を現像処理する現像処理装置２６と、印画紙マガジン５から引き出された印画紙２を現像処理装置２６へ搬送する印画紙搬送系ＰＴと、スキャナ制御部１８から受け取った露光用画像データに基づいて画像露光ユニット２５を露光作動させる露光制御部６とが備えられ、外部には、図７に示すように、現像処理装置２６にて現像された印画紙２をオーダ毎に分類するためのソータ３と、現像処理装置２６から排出された印画紙２をソータ３へ搬送するコンベア４とが備えられている。
更に、印画紙搬送系ＰＴの搬送経路の途中には、カッタ２８と、そのカッタ２８で切断され一列で搬送される印画紙２を複数の搬送列に振り分けるための振り分け装置２９が備えられている。
【００１６】
〔露光・現像装置ＥＰの筐体内の配置構成〕
露光・現像装置ＥＰの筐体正面側には観音開き式の正面側扉３０が備えられ、正面側扉３０の内方には、機器の配置を正面視で概略的に示す図５のように、装置下端に印画紙マガジン５を装填するための２つのマガジン装填部ＭＬが左右に配置され、２つのマガジン装填部ＭＬの間の空間には、前記印画紙搬送系ＰＴの一部を構成し前記振り分け装置２９や複数の搬送ローラ２４ａ等を収納する露光前搬送ユニット３２が配置されている。
露光・現像装置ＥＰの筐体内には、更に、正面視で右側のマガジン装填部ＭＬの上部に、前記露光制御部６を収納する制御ボックス３４が配置されている。
露光前搬送ユニット３２の上部には、画像露光ユニット２５による露光箇所において印画紙２を搬送する露光搬送ユニット３３が配置され、制御ボックス３４の上部には、前記画像露光ユニット２５が配置されている。露光搬送ユニット３３にも複数の搬送ローラ２４ｂや、搬送ローラ２４ｂを駆動する搬送モータ２３等が収納されている。
【００１７】
露光搬送ユニット３３及び画像露光ユニット２５の上部には、画像露光ユニット２５にて露光された印画紙２を露光搬送ユニット３３から受け取って搬送する第１露光後搬送ユニット４５，第２露光後搬送ユニット４６及び第３露光後搬送ユニット４７が配置されている。第１〜第３露光後搬送ユニット４５，４６，４７にも、他の搬送ユニットと同様に複数の搬送ローラ２４ｃが収納され、露光搬送ユニット３３等と同様に印画紙搬送系ＰＴの一部を構成する。
露光・現像装置ＥＰの筐体上部側には、これら第１〜第３露光後搬送ユニット４５，４６，４７に対して保守作業を行うための上部カバー３１が備えられており、水平軸心周りに揺動開閉される。
【００１８】
〔印画紙マガジン５の構成〕
次に、図５に示すような位置及び姿勢で露光・現像装置ＥＰの筐体内に装填する印画紙マガジン５の構成について説明する。
印画紙マガジン５の筐体５１は円柱形状となるロール状の印画紙２を収納するために略直方体状に形成され、筐体５１を閉じた状態を示す図２（ａ）及び筐体５１を開いた状態を示す図２（ｂ）のように、ロール状の印画紙２をセットする基体５１ａと、カバー体５１ｂとがヒンジにて開閉可能に連結されて構成されている。
印画紙マガジン５の筐体５１の内部空間は、その大部分がロール状の印画紙２を収納するロール収納部ＲＳとして使用され、そのロール収納部ＲＳの側脇に位置する状態で、ロールから繰り出された印画紙２を印画紙引き出し口５２に案内する印画紙案内部ＰＧが設けられている。
【００１９】
印画紙案内部ＰＧの印画紙入り口側には、印画紙２の搬送経路中央付近での搬送横幅方向視の断面を示す図１のように、前記ロール収納部ＲＳに装填された印画紙ロールから引き出される印画紙２の進路を、印画紙引き出し口５２に向けて変更するように印画紙２の一方の面（ロール状態で内側向きの面）を支承案内する第１ガイド部材ＦＧとしてローラ５３が設けられると共に、印画紙２の他方の面（ロール状態で外側向きの面）を案内する第２ガイド部材ＳＧとして押え側ガイド５４が設けられている。
ローラ５３は、図２（ｂ）における「Ａ」方向矢視でローラ５３付近を示す図３にも示すように、基体５１ａ側に固定されているガイドフレーム５５から延出する支持アーム５５ａに回転自在に支持され、ローラ５３には、印画紙２の搬送横幅方向での位置を規制する搬送位置規制部材ＬＳとして印画紙搬送方向視で左右一対に鍔部材５６が外嵌されている。鍔部材５６はローラ５３の外周面を摺動可能であり、紙幅の異なる印画紙ロールの装填を可能としている。
一対の鍔部材５６の互いに対向する面は、印画紙２の搬送横幅方向の端縁との接当により印画紙２の搬送横幅方向での位置を規制する端縁案内面５６ａとなっている。
【００２０】
ガイドフレーム５５における押え側ガイド５４存在側のガイド面５５ｂは押え側ガイド５４と共に印画紙２の搬送経路を構成しており、そのガイド面５５ｂにおける搬送方向中央寄りの位置には、印画紙２を搬送するための駆動ローラ５７が備えられ、押え側ガイド５４における駆動ローラ５７に対向する位置には、印画紙２を駆動ローラ５７に圧着させる圧着ローラ５８が回動自在に取り付けられている。
駆動ローラ５７の回転軸５７ａの一端には、ギヤ５７ｂが取り付けられ、印画紙マガジン５を露光・現像装置ＥＰのマガジン装填部ＭＬに装填した状態で、図示を省略する駆動機構により、露光・現像装置ＥＰ側からギヤ５７ｂを経由して駆動ローラ５７に駆動力が伝達される。
【００２１】
押え側ガイド５４は、図１に示すように、押え側ガイド５４における印画紙２の搬送方向上流端部の存在位置が、印画紙２の搬送横幅方向視で鍔部材５６の端縁案内面５６ａと重複するように一対の鍔部材５６の間に入り込んでおり、更に、印画紙２の搬送方向上流端近くでガイド面を円筒の内面状に窪ませることで、搬送方向上流端部での印画紙案内面５４ａの形状が、円筒のローラ５３にて変更された後の印画紙２の進路（すなわち、図１における紙面上下方向）よりも変更される前の進路（すなわち、図１における印画紙２の長手方向）側に傾斜した形状となるようにしてある。
これによって、図１に示すように、遮光用のシート部材２ａと印画紙２との継ぎ目が印画紙案内部ＰＧの入り口部分を通過するときに、図４に示す間隔Ｗが大きい印画紙２のロールであっても、遮光用のシート部材２ａから浮き上がる姿勢となる印画紙２の先端と押え側ガイド５４の印画紙案内面５４ａとの接触角度が浅い角度となり、印画紙案内部ＰＧの入り口部分を印画紙２の先端が円滑に通過して行く。
【００２２】
更に、押え側ガイド５４において、前記印画紙案内面５４ａを形成した箇所の搬送横幅方向中央部は、更に深くえぐり取る形状とした回避部５４ｂを形成してある。
この回避部５４ｂは、図４において「Ｘ」で示す間隔、すなわち、遮光用のシート部材２ａと印画紙２との継ぎ目の搬送横幅方向中央部における未接着部分の間隔が大きいときに、両側の接着部分（溶着部分）よりも押え側ガイド５４側へより高く浮き上がる搬送方向中央部分が押え側ガイド５４と接当して突っ張る状態となってしまうのを回避するためのものであり、前記間隔Ｘが大きい場合でも、印画紙２の先端における搬送横幅方向中央部が、押え側ガイド５４との接当により搬送抵抗として作用してしまうのを回避しながら、両側部が印画紙案内面５４ａに案内されて、印画紙案内部ＰＧの入り口部分を印画紙２の先端が円滑に通過して行く。
しかも、印画紙案内部ＰＧの入り口部分において、浮き上がる姿勢となった印画紙２の先端が、鍔部材５６の端縁案内面５６ａによる位置規制から外れてしまうことがないので、安定した姿勢で印画紙２が送り出されて行く。又、その後の印画紙２の搬送途中において、印画紙ロールの回転の慣性によって印画紙２がオーバーランして、ローラ５３の位置で印画紙にたるみが発生したり、引き出している印画紙２がロールの終端に達してロールの慣性質量等による印画紙２に対するバックテンションが作用しなって、ローラ５３の位置で印画紙２にカールが発生したときでも、印画紙案内面５４ａがそのたるみやカールの程度を十分に抑制し、鍔部材５６の端縁案内面５６ａによる位置規制を作用させながら、安定した姿勢で印画紙２を送り出すことができる。
【００２３】
印画紙案内部ＰＧの構成において、第１ガイド部材ＦＧであるローラ５３及びガイドフレーム５５が印画紙マガジン５の基体５１ａ側に備えられているのに対し、図２（ｂ）に概略的に示すように、第２ガイド部材ＳＧである押え側ガイド５４及び圧着ローラ５８は、カバー体５１ｂ側に取り付けられており、印画紙マガジン５の筐体５１を開いた状態では、印画紙２の搬送経路が露出する状態となる。
【００２４】
次に、上記構成の印画紙マガジン５に新たにロール状の印画紙２を装填する作業を簡単に説明する。この装填作業は、明室環境下で行うことができる。
先ず、印画紙マガジン５を露光・現像装置ＥＰから取り外した状態で、図２（ｂ）に示す状態に印画紙マガジン５の筐体５１を開き、外周に遮光用のシート部材２ａを巡らせた印画紙２のロールを基体５１ａ側に装填する。
ロールを装填した後、遮光用のシート部材２ａの先端をロールから繰り出して、その先端を印画紙引き出し口５２に挿通させると共に、遮光用のシート部材２ａがローラ５３に外嵌する一対の鍔部材５６の間を通るように位置させ、カバー体５１ｂを閉じて図２（ａ）に示す状態とする。
【００２５】
図２（ａ）に示すように印画紙マガジン５の筐体５１を閉じた状態で、印画紙引き出し口５２から遮光用のシート部材２ａを引張り出して行く。
この途中で、遮光用のシート部材２ａと印画紙２との継ぎ目が印画紙案内部ＰＧの入り口にさしかかっても、上述のように、円滑に印画紙２が搬送され、印画紙案内部ＰＧの搬送経路を通過して、印画紙２の先端が印画紙引き出し口５２の外部に引き出される。
この状態まで印画紙２を引き出すと、遮光用のシート部材２ａを印画紙２から引きはがすか、あるいは、印画紙２の先端部分を切除して、不要となった遮光用のシート部材２ａを取り除く。
以上のようにしてロール状の印画紙２を装填した印画紙マガジン５を、正面側扉３０内のマガジン装填部ＭＬにセットする。
【００２６】
〔別実施形態〕
以下、本発明の別実施形態を列記する。
（１）上記実施の形態では、印画紙案内部ＰＧにおける印画紙２の搬送方向上流端近くを、円筒の内面状に窪ませることで、印画紙案内部ＰＧの搬送方向上流端部での印画紙案内面５４ａの形状が、円筒のローラ５３にて変更された後の印画紙２の進路（すなわち、図１における紙面上下方向）よりも変更される前の進路（すなわち、図１における印画紙２の長手方向）側に傾斜した形状となるようにする場合を例示しているが、角度の異なる平面を接続することで同様の形状とする等、印画紙案内面５４ａの具体的な形状は種々変更可能である。
【００２７】
（２）上記実施の形態では、印画紙案内部ＰＧの入り口側箇所において印画紙２の進路を変更する第１ガイド部材ＦＧをローラ５３にて構成する場合を例示しているが、必ずしもローラである必要はなく、固定の案内面であっても良い。
（３）上記実施の形態では、印画紙２に対する搬送位置規制部材ＬＳである鍔部材５６は、ローラ５３に取り付ける場合を例示しているが、ローラ５３とは別個の部材として離間させた状態で備えても良い。
（４）上記実施の形態では、第１ガイド部材ＦＧ及び搬送位置規制部材ＬＳを印画紙マガジン５の筐体５１の基体５１ａ側に備え、第２ガイド部材ＳＧをカバー体５１ｂ側に備える場合を例示しているが、これら全てを基体５１ａ側に備えるように構成しても良い。
【００２８】
【発明の効果】
上記請求項１記載の構成によれば、印画紙の進路を変更する第１ガイド部材にて支承される面と反対側の面を案内する第２ガイド部材における印画紙の搬送方向上流端部の存在位置が、印画紙の搬送横幅方向視で前記端縁案内面と重複する位置に配置されるようにして、印画紙が前記搬送位置規制部材に位置規制されて搬送される状態を確保し、且つ、第２ガイド部材における印画紙搬送方向上流端部での印画紙案内面が、第１ガイド部材にて変更された後の印画紙の進路よりも変更される前の印画紙の進路側に傾斜した形状に形成して、前記間隔Ｗが大きい印画紙ロールであっても、印画紙の先端が第２ガイド部材の印画紙案内面に接当するときの角度を浅くすることで、印画紙の先端が第２ガイド部材に円滑に案内されるようにしたのである。
もって、印画紙マガジンから円滑に印画紙を引き出せるものとなった。
【００２９】
又、上記請求項２記載の構成によれば、印画紙マガジンの筐体を開いた状態で、基体側にロール状の印画紙をセットし、前記搬送位置規制部材にあてがうように遮光用のシート部材を印画紙引き出し口の外に繰り出して、印画紙マガジンの筐体を閉じる、という簡単な作業で印画紙の装填作業を行える利点を維持しながら、上述のように円滑に印画紙を引き出すことができる。
又、上記請求項３記載の構成によれば、印画紙の進路を変更する第１ガイド部材及び印画紙の搬送横幅方向での位置を規制する搬送位置規制部材を鍔付きローラとして構成することで、構成の簡素化を図ることができる。
【図面の簡単な説明】
【図１】本発明の実施の形態にかかる印画紙マガジンの要部断面図
【図２】本発明の実施の形態にかかる印画紙マガジンの開閉状態を示す図
【図３】本発明の実施の形態にかかる印画紙マガジンの要部拡大図
【図４】遮光用のシート部材とロール状の印画紙との接続状態を例示する図
【図５】本発明の実施の形態にかかる露光・現像装置の内部配置を示す図
【図６】本発明の実施の形態にかかる写真プリント装置のブロック構成図
【図７】本発明の実施の形態にかかる露光・現像装置の外観斜視図
【図８】従来の技術を説明する図
【符号の説明】
ＦＧ    第１ガイド部材
ＬＳ    搬送位置規制部材
ＰＧ    印画紙案内部
ＲＳ    ロール収納部
ＳＧ    第２ガイド部材
２      印画紙
２ａ    遮光用のシート部材
５１    筐体
５１ａ  基体
５１ｂ  カバー体
５２    印画紙引き出し口
５３    ローラ
５６    鍔部材
５６ａ  端縁案内面
【図１】
0003724459.tif 000002
【図２】
0003724459.tif 000003
【図３】
0003724459.tif 000004
【図４】
0003724459.tif 000005
【図５】
0003724459.tif 000006
【図６】
0003724459.tif 000007
【図７】
0003724459.tif 000008
【図８】
0003724459.tif 000009